(57)【要約】【課題】いわゆる土鍋等セラミック製の鍋を炊飯器用の内鍋として採用し、電磁誘導加熱するようにした場合の熱拡散性の悪さを改善し、その炊飯性能、保温性能を有効に向上させる。【解決手段】電磁誘導加熱されるセラミック製の内鍋と、この内鍋を取り出し可能に収容する内ケースと、この内ケースを収容固定する外ケースと、上記内ケース部分に設けられ、上記内鍋を上記誘導発熱体を介して電磁誘導加熱する電磁誘導加熱手段とを備えてなる電気炊飯器において、上記内鍋の外周にアルミダイキャスト部を設けるとともに該アルミダイキャスト部の外周に上記の誘導発熱体を設け、かつ上記内ケースに該誘導発熱体に対応する電磁誘導加熱手段を設けて電磁誘導加熱することにより、内鍋全体への熱拡散性能を有効に向上させた。【選択図】  図２
2009045194.tif 000002
【特許請求の範囲】
【請求項１】
誘導発熱体を介して電磁誘導加熱されるセラミック製の内鍋と、この内鍋を取り出し可能に収容する内ケースと、この内ケースを収容固定する外ケースと、上記内ケースに設けられ、上記内鍋を上記誘導発熱体を介して電磁誘導加熱する電磁誘導加熱手段とを備えてなる電気炊飯器において、上記内鍋の外周にアルミダイキャスト部を設け、該アルミダイキャスト部のアルミ材層の外周面に上記電磁誘導加熱手段に対応する誘導発熱体を設けて電磁誘導加熱し、上記アルミダイキャスト部のアルミ材層を介して内鍋を加熱することにより、内鍋全体への熱拡散性能を向上させたことを特徴とする電気炊飯器。
【請求項２】
アルミダイキャスト部のアルミ材層と内鍋との接合面には、相互の間の機械的な密着度又は結合度を高めるための係合構造が採用されていることを特徴とする請求項１記載の電気炊飯器。
【請求項３】
内鍋は側部よりも底部の厚さが薄く形成され、アルミダイキャスト部は、同厚さが薄く形成された底部の高台部内側面に設けられていることを特徴とする請求項１記載の電気炊飯器。
【請求項４】
内鍋は側部よりも底部および底部から側部にいたる湾曲部の厚さが薄く形成され、アルミダイキャスト部は、同厚さが薄く形成された底部と湾曲部の全面に設けられ、それらの各々に対応して誘導発熱体および電磁誘導加熱手段が設けられていることを特徴とする請求項１又は２記載の電気炊飯器。
【請求項５】
内鍋は側部上端側よりも底部から湾曲部を経て側部中間にいたる部分の厚さが薄く形成され、アルミダイキャスト部は、同厚さが薄く形成された底部から湾曲部を経て側部中間にいたる各部分の全面に設けられ、それらの各々に対応して誘導発熱体および電磁誘導加熱手段が設けられていることを特徴とする請求項１又は２記載の電気炊飯器。
【請求項６】
内鍋は底部から湾曲部、側部を経て開口縁部にいたる全体の厚さが薄く形成され、アルミダイキャスト部は、同底部から湾曲部、側部を経て開口縁部にいたる内鍋の全面に設けられ、それらの内の底部、湾曲部、側部に対応して各々誘導発熱体および電磁誘導加熱手段が設けられていることを特徴とする請求項１又は２記載の電気炊飯器。
【請求項７】
複数の個所に設けたアルミダイキャスト部は、相互に連続一体化してキャスティングされていることを特徴とする請求項４，５又は６記載の電気炊飯器。
【請求項８】
複数の個所に設けられたアルミダイキャスト部は、それぞれ相互に分離独立してキャスティングされていることを特徴とする請求項４，５又は６記載の電気炊飯器。
【請求項９】
内鍋の側部に対応する内ケースの側部には、内鍋の側部を加熱するヒータが設けられていることを特徴とする請求項３又は４記載の電気炊飯器。
【請求項１０】
内鍋の開口縁部に対応する内ケース上端側肩部付近には肩ヒータが設けられていることを特徴とする請求項６記載の電気炊飯器。
【請求項１１】
内鍋外周面のアルミダイキャスト設置部以外の部分は釉薬仕上げとする一方、アルミダイキャスト部の外周面部分は耐熱塗装仕上げとしたことを特徴とする請求項１，２，３，４，５，６，７，８，９又は１０記載の電気炊飯器。
【請求項１２】
内鍋外周面のアルミダイキャスト部を含む外周面全体を同一色の耐熱塗装仕上げとしたことを特徴とする請求項１，２，３，４，５，６，７，８，９又は１０記載の電気炊飯器。
【請求項１３】
内鍋の底部に当接して上記内鍋の温度を検出する温度センサを備え、該温度センサの温度検知面は内鍋底部の誘導発熱体のないアルミダイキャスト面に密に当接されるようになっていることを特徴とする請求項１，２，３，４，５，６，７，８，９，１０，１１又は１２記載の電気炊飯器。
【発明の詳細な説明】
【技術分野】
【０００１】
本願発明は、土鍋等セラミック製の内鍋を採用した電磁誘導加熱式電気炊飯器の内鍋部分の構造に関するものである。
【背景技術】
【０００２】
最近の電気炊飯器では、高出力で加熱効率が高く出力制御の応答性も高いために、早く、しかも美味しい御飯を炊き上げることができるなどの理由から、内鍋（飯器）自体をステンレス等電磁誘導可能な金属材料で形成するとともに、その加熱手段として当該内鍋内に渦電流を誘起させて自己発熱させる電磁誘導加熱手段を採用した電磁誘導加熱方式のものが多くなっている。
【０００３】
このような電気炊飯器の場合、上記電磁誘導加熱手段として、所謂ワークコイルを採用し、例えば内鍋を収納する有底筒状の内ケース（保護枠）の底壁面にワークコイルを設け、該ワークコイルにより内鍋を誘導発熱させて加熱する電磁誘導加熱構造が採用されている（例えば特許文献１を参照）。
【０００４】
一方、このような電磁誘導加熱手段を採用した場合において、ご飯の炊き上がりをより良好ならしめるために、上記電磁誘導可能な金属材料よりなる内鍋に替えて、例えば土鍋等セラミック材よりなる内鍋を採用したものも提供されるようになってきている。
【０００５】
その場合、内鍋自体が電磁誘導によっては発熱しないため、例えば内鍋の底部および底部近傍（底部中央のフラット面部と底部外周側の湾曲部面など）に特に電磁誘導効率の高い金属製の誘導発熱体（例えば銀ペーストなど）を配設し、これら誘導発熱体を上記ワークコイル等の対応する電磁誘導加熱手段で誘導発熱させることにより、内鍋を加熱する誘導加熱構造が採用されている（例えば非公知の先行技術文献として特許文献２を参照）。
【０００６】
このようなセラミック製の内鍋は、加熱時の熱の伝導性が悪い反面、一旦温度が高くなると長時間冷めにくい蓄熱性の高さが長所であり、ゆっくりと時間をかけて炊き上げると、美味しいご飯を炊き上げることができる。
【０００７】
もちろん、このような熱伝導性が悪いセラミック製の内鍋の加熱性能を少しでも向上させようとする努力は、従来からも行われている。
【０００８】
例えば内鍋全体の厚さを薄くするなども、その方法の一つである。
【０００９】
【特許文献１】特開平１１−２３５２７２号公報（明細書１−３頁、図１−２）
【特許文献２】特願２００６−５０２５７号（明細書１−９頁、図１−９）
【発明の開示】
【発明が解決しようとする課題】
【００１０】
しかし、内鍋の厚さを全体に亘って薄くすると、内鍋自体の強度が低下して割れやすくなり、耐久性に欠けるものとなる。また、肝心の蓄熱力が低下し、折角の長所が減殺されてしまう。
【００１１】
また、内鍋を薄くすると、確かに誘導発熱体部分から対応する内鍋内への熱は通りやすくなるが、だからと言って内鍋自体の全体への熱の拡散性が改善されるわけではなく、部分的に熱の貫通性が向上するだけである。したがって、逆に内鍋の温度分布の均一性が失われ、局部的な温度ムラが生じて部分的な焦げ付きが生じやすくなり、却って炊飯性能が悪化する。
【００１２】
このため、従来の炊飯方法では、徐々に出力を大きくしながら内鍋温度を上昇させ、また焦げないように出力を抑制しながら、炊き上げ制御を行う必要があった。
【００１３】
本願発明は、このような問題を解決するためになされたもので、セラミック製の内鍋の外周に伝熱性の高いアルミ材をダイキャストし、同ダイキャストされたアルミ材層によって必要な加熱領域に亘って可能な限りの良好かつ均一な熱の拡散性を実現した電磁誘導加熱式電気炊飯器を提供することを目的とするものである。
【課題を解決するための手段】
【００１４】
本願発明は、同目的を達成するために、次のような課題解決手段を備えて構成されている。
【００１５】
（１）  請求項１の発明
この発明の電気炊飯器は、誘導発熱体を介して電磁誘導加熱されるセラミック製の内鍋と、この内鍋を取り出し可能に収容する内ケースと、この内ケースを収容固定する外ケースと、上記内ケースに設けられ、上記内鍋を上記誘導発熱体を介して電磁誘導加熱する電磁誘導加熱手段とを備えてなる電気炊飯器において、上記内鍋の外周にアルミダイキャスト部を設け、該アルミダイキャスト部のアルミ材層の外周面に上記電磁誘導加熱手段に対応する誘導発熱体を設けて電磁誘導加熱し、上記アルミダイキャスト部のアルミ材層を介して内鍋を加熱することにより、内鍋全体への熱拡散性能を向上させたことを特徴としている。
【００１６】
このように、セラミック製の内鍋の外周にアルミ材層をダイキャストして所定の厚さのアルミダイキャスト層を形成し、その上に誘導発熱体を設けるようにすると、誘導発熱体からの熱がダイキャストされているアルミ材層部分を介して内鍋の所要領域に速く、かつ均一に拡散される。
【００１７】
その結果、従来のような誘導発熱体に対応する部分のみの局部的な加熱による焦げ付きや炊飯性能の悪さが解決される。
【００１８】
したがって、通常の金属製の内鍋の場合のように、フルパワーでの加熱も可能となり、炊飯性能が向上し、炊飯時間も短縮される。また、お焦げ制御も可能となる。
【００１９】
また必要な蓄熱性を保持し得る範囲で可能な限り内鍋の厚さを薄くすることも可能となり、そのように薄くしたとしても同部分はアルミ材層によって補強されるので、割れやすいということもなくなる。
【００２０】
（２）  請求項２の発明
この発明の電気炊飯器は、上記請求項１の発明において、アルミダイキャスト部のアルミ材層と内鍋との接合面には、相互の間の機械的な密着度又は結合度を高めるための係合構造が採用されていることを特徴としている。
【００２１】
上記密着度又は結合度を高める係合構造としては、例えば内鍋の外周面に凹凸部を設ける、また内鍋の外周面にサンドブラスト加工を施して粗面を形成する、内鍋外周面を素焼面又はマット釉薬仕上げ面とする、などの各種の構成が採用される。
【００２２】
このようにすると、アルミ材ダイキャスト加工そのものが容易になることは素より、ダイキャスト後にも熱膨張係数の大きいアルミ材の熱膨張に対する機械的な係止力が大きくなり、剥離しにくくなる。
【００２３】
その結果、良好な密着状態の維持が可能となり、アルミ材層から内鍋側への伝熱効率も向上する。
【００２４】
さらに凹凸部を形成した場合、凹凸面が相互の伝熱面積を拡大する作用を果たすので、伝熱性能自体をも向上させることができる。
【００２５】
（３）  請求項３の発明
この発明の電気炊飯器は、上記請求項１の発明において、内鍋は側部よりも底部の厚さが薄く形成され、アルミダイキャスト部は、同厚さが薄く形成された底部の高台部内側面に設けられていることを特徴としている。
【００２６】
このような構成によると、誘導発熱体からの熱がダイキャストされているアルミ材層部分を介して内鍋の底部面および底部外周面領域に速く、かつ均一に拡散されるようになる。
【００２７】
その結果、従来のような誘導発熱体に対応する部分のみの局部的な加熱による焦げ付きや炊飯性能の悪さが解決される。
【００２８】
また必要な蓄熱性を保持し得る範囲で可能な限り内鍋の厚さを薄くすることも可能となり、そのように薄くしたとしても同部分はアルミ材層によって補強されるので、割れやすいということもなくなる。
【００２９】
（４）  請求項４の発明
この発明の電気炊飯器は、上記請求項１又は２の発明において、内鍋は側部よりも底部および底部から側部にいたる湾曲部の厚さが薄く形成され、アルミダイキャスト部は、同厚さが薄く形成された底部と湾曲部の全面に設けられ、それらの各々に対応して誘導発熱体および電磁誘導加熱手段が設けられていることを特徴としている。
【００３０】
このような構成によると、誘導発熱体からの熱がダイキャストされているアルミ材層部分を介して内鍋の底部面および外周側湾曲部面領域の全体に各々速く、かつ均一に拡散されるようになる。
【００３１】
その結果、従来のような誘導発熱体に対応する部分のみの局部的な加熱による焦げ付きや炊飯性能の悪さが解決される。
【００３２】
また必要な蓄熱性を保持し得る範囲で可能な限り内鍋の厚さを薄くすることも可能となり、そのように薄くしたとしても同部分はアルミ材層によって補強されるので、割れやすいということもなくなる。
【００３３】
（５）  請求項５の発明
この発明の電気炊飯器は、上記請求項１又は２の発明において、内鍋は側部上端側よりも底部から湾曲部を経て側部中間にいたる部分の厚さが薄く形成され、アルミダイキャスト部は、同厚さが薄く形成された底部から湾曲部を経て側部中間にいたる各部分の全面に設けられ、それらの各々に対応して誘導発熱体および電磁誘導加熱手段が設けられていることを特徴としている。
【００３４】
このような構成によると、各誘導発熱体からの熱がダイキャストされているアルミ材層部分を介して内鍋の底部面および外周側湾曲部面、側部下端側面の各領域に速く、かつ均一に拡散されるようになる。
【００３５】
その結果、従来のような誘導発熱体に対応する部分のみの局部的な加熱による焦げ付きや炊飯性能の低下が解決される。
【００３６】
また必要な蓄熱性を保持し得る範囲で可能な限り内鍋の厚さを薄くすることも可能となり、そのように薄くしたとしても同部分はアルミ材層によって補強されるので、割れやすいということもなくなる。
【００３７】
（６）  請求項６の発明
この発明の電気炊飯器は、上記請求項１又は２の発明において、内鍋は底部から湾曲部、側部を経て開口縁部にいたる全体の厚さが薄く形成され、アルミダイキャスト部は、同底部から湾曲部、側部を経て開口縁部にいたる内鍋の全面に設けられ、それらの内の底部、湾曲部、側部に対応して各々誘導発熱体および電磁誘導加熱手段が設けられていることを特徴としている。
【００３８】
このような構成によると、各誘導発熱体からの熱がダイキャストされているアルミ材層部分を介して内鍋の底部面および湾曲部面、側部面、開口縁部の各領域に速く、かつ均一に拡散されるようになる。
【００３９】
その結果、従来のような誘導発熱体に対応する部分のみの局部的な加熱による焦げ付きや炊飯性能の悪さが解決される。
【００４０】
また必要な蓄熱性を保持し得る範囲で可能な限り内鍋の厚さを薄くすることも可能となり、そのように薄くしたとしても同部分はアルミ材層によって補強されるので、割れやすいということもなくなる。
【００４１】
特に本構成では、内鍋の開口縁部付近が効果的に昇温される結果、炊飯時の加熱ムラや保温時の内鍋表面温度のバラツキに起因するご飯の白ボケなども生じにくくなる。
【００４２】
（７）  請求項７の発明
この発明の電気炊飯器は、上記請求項４，５又は６の発明において、複数の個所に設けたアルミダイキャスト部は、相互に連続一体化してキャスティングされていることを特徴としている。
【００４３】
したがって、それら各部の誘導発熱体からの熱が、当該アルミ材層各部の温度勾配に応じ、温度の高い所から低い所へ効率良く移動して内鍋全体の温度を効率良く均一化する。
【００４４】
その結果、熱の拡散性が高くなる。
【００４５】
（８）  請求項８の発明
この発明の電気炊飯器は、上記請求項４，５又は６の発明において、複数の個所に設けられたアルミダイキャスト部は、それぞれ相互に分離独立してキャスティングされていることを特徴としている。
【００４６】
したがって、全体への熱の拡散性の点では上記請求項７の構成に劣るが、キャスティング作業自体は個別に行えば良いので、アルミの収縮率は同じでも、収縮寸法は分割されるため小さくなり土鍋に与えるストレスが緩和され、生産が比較的容易になる。
【００４７】
（９）  請求項９の発明
この発明の電気炊飯器は、上記請求項３又は４の発明において、厚さの厚い内鍋の側部に対応する内ケースの側部には、内鍋の側部を加熱するヒータが設けられていることを特徴としている。
【００４８】
内鍋の側部は、炊飯時において徐々に温められ、その後十分な蓄熱性を発揮すればよいので、その厚さを厚くするのが好ましい。
【００４９】
そして、そのように内鍋の側部の厚さを厚くすると、昇温は遅くなるが炊き上げ完了時等の蓄熱量が多くなって冷めにくくなるので、むらし工程におけるむらし効率又は保温工程における保温効率が良くなる。
【００５０】
したがって、内鍋の側部はヒータのみによる加熱でも良好な保温性能を維持することができる。
【００５１】
（１０）  請求項１０の発明
この発明の電気炊飯器は、上記請求項６の発明において、内鍋の開口縁部に対応する内ケース上端側肩部付近には肩ヒータが設けられていることを特徴としている。
【００５２】
このような構成によれば、上述した内鍋の開口縁部付近が、さらに効果的に昇温されるようになる結果、一層ご飯の白ボケなども生じにくくなる。
【００５３】
（１１）  請求項１１の発明
この発明の電気炊飯器は、上記請求項１，２，３，４，５，６，７，８，９又は１０の発明において、内鍋外周面のアルミダイキャスト設置部以外の部分は釉薬仕上げとする一方、アルミダイキャスト部の外周面部分は耐熱塗装仕上げとしたことを特徴としている。
【００５４】
このような構成によると、セラミック製の内鍋特有の美しさ、品質感の実現と高温になりやすい部分の耐熱性の実現との両機能を両立させることができる。
【００５５】
（１２）  請求項１２の発明
この発明の電気炊飯器は、上記請求項１，２，３，４，５，６，７，８，９又は１０の発明において、内鍋外周面のアルミダイキャスト部を含む外周面全体を同一色の耐熱塗装仕上げとしたことを特徴としている。
【００５６】
このような構成によると、内鍋の全体に亘って一体感、均質感を出すことができる。したがって、アルミダイキャスト部を設けたことが殆ど分らなくなり、内鍋としての品質感が良好になる。
【００５７】
（１３）  請求項１３の発明
この発明の電気炊飯器は、上記請求項１，２，３，４，５，６，７，８，９，１０，１１又は１２の発明において、内鍋の底部に当接して上記内鍋の温度を検出する温度センサを備え、該温度センサの温度検知面は内鍋底部の誘導発熱体のないアルミダイキャスト面に密に当接されるようになっていることを特徴としている。
【００５８】
このようにすると、上記誘導発熱体の発熱による熱の影響を受けることなく、内鍋の底部の温度を伝熱性良く正確に検出することができる。したがって、本来応答性が低く、正確な温度検知が難しいセラミック製の内鍋の温度検知性能が大きく向上する。
【発明の効果】
【００５９】
以上の結果、本願発明によると、土鍋等セラミック製の内鍋の熱の拡散性を大きく改善することができ、その蓄熱性の良さを生かした高性能で、熱効率の高いセラミック製の内鍋を採用した電磁誘導加熱式電気炊飯器を提供することができるようになる。
【発明を実施するための最良の形態】
【００６０】
以下、添付の図面を参照して、本願発明のいくつかの最適な実施の形態の構成について説明する。
【００６１】
＜最良の実施の形態１＞
先ず図１および図２は、本願発明の最良の実施の形態１に係る電気炊飯器の構成を示している。
【００６２】
この電気炊飯器は、有底筒状の内ケース１２を外ケース１１内に収容した炊飯器本体１と、炊飯器本体１の上部を開閉する蓋ユニット２と、炊飯器本体１の内ケース１２内に出し入れ自在に収容される内鍋３と、内ケース１２の底壁部１３の下方に設置されていて内鍋３を電磁誘導加熱するための電磁誘導加熱手段としてのワークコイル４１と、ワークコイル４１によって電磁誘導加熱されて発熱し、内鍋３を加熱する誘導発熱体３６と、誘導発熱体３６からの熱がワークコイル４１側に作用するのを遮断する内ケース底壁部１３の上面に設置された断熱プレート５とを有して構成されている。
【００６３】
炊飯器本体１は、外ケース１１と内ケース１２との二重構造であって、該外ケース１１と内ケース１２間には、各種部材を設置するための所定間隔の空所が形成されている。
【００６４】
蓋ユニット２は、炊飯器本体１の開口部を開閉する蓋本体２１と、該蓋本体２１の下面側に取付けられていて内鍋３の開口部を開閉する内蓋２２とを有している。尚、この蓋ユニット２は、蓋本体２１が炊飯器本体１の後側上部にヒンジ結合されていて、蓋ユニット全体（蓋本体２１及び内蓋２２）を同時に弧回動開閉し得るようにしている。
【００６５】
内鍋３は、例えばコーディエライト等の耐熱性が高いセラミック製のもの（いわゆる土鍋と称されている焼物）よりなり、平坦な底部３１と、該底部３１外周側の湾曲部３２と、筒状の側部３３と、フランジ状の開口縁部３４とをそれぞれ一体に成形した有底の筒状体に形成されている。そして、底部３１の外周部下面には、小高い環状の高台部３５が下向きに突出して形成されている。
【００６６】
このようなセラミック製の内鍋３は、先にも述べたように、蓄熱力が大きく一旦昇温すると冷めにくい反面、加熱時の熱伝導性が悪く昇温しにくい性質がある。
【００６７】
そのため、炊飯開始後、ワークコイル出力をフルパワー（デューティー比１００％）にしても、内鍋３内の飯米の温度が沸とう開始温度に達するまでには相当な時間がかかる。
【００６８】
一方、それにも拘わらず、誘導発熱体３６が設けられている部分のみは局部的に昇温されて高温になる。この結果、そのままの状態だと加熱ムラが生じ、焦げ付き等の発生原因にもなる。
【００６９】
そこで、本実施の形態の内鍋３では、先ず図２に示すように、内鍋３の底部３１および湾曲部３２の厚さを側部３３の厚さよりも所定寸法薄くして（但し、最低肉厚３〜４ｍｍ程度は確保することが好ましい）、誘導発熱体３６からの熱が内鍋３の内側飯米部分まで可能な限り早く伝導されるようにしている。次に、それに加えて上記ワークコイル４１に対応して誘導発熱体３６が設けられる内鍋３の底部３１下面の高台部３５の内側全体には、熱伝導率が高く熱拡散性の良いアルミ材をダイキャストすることによって一体化したアルミダイキャスト部２０を設け、その高台部３５に沿った外周域部分に銀ペースト等よりなる所定の幅の誘導発熱体３６をドーナツ状に貼設（又は銀材を溶射）することによって、同誘導発熱体３６からの熱がアルミダイキャスト部２０のアルミ材層を介して内鍋３の底部３１の全体はもちろん、その外周側湾曲部３２側に効率良く拡散されるようにしている。
【００７０】
他方、上記内鍋３の側部３３の厚さは、加熱出力の大きい炊飯時において徐々に温められ、その後、沸とう維持工程以降において十分に蓄熱性を発揮すればよいので、底部３１に比べて十分に厚くしている。
【００７１】
このように内鍋３の側部３３の厚さを厚くすると、昇温工程での昇温は遅くなるが、沸とう維持工程以降の、特に炊き上げ完了段階での蓄熱量が多くなって冷めにくくなり、むらし工程におけるむらし効率（又は保温工程における保温効率）が良くなる。したがって、それらの工程での出力低減による省エネが可能となる。
【００７２】
なお、上記内鍋３の内壁面には、ご飯に対する非粘着性を高めるため、釉薬仕上げの後、セラミックコート又はフッ素コートを施している。
【００７３】
ところで、以上のような構成の場合、炊飯時に内鍋３をセットした状態で、上記ワークコイル４１に通電すると、ワークコイル４１からの交番磁界により上記誘導発熱体３６が発熱するが、上記誘導発熱体３６の発熱温度は最大で２２０℃〜２３０℃程度に達する。そして、同誘導発熱体３６からの熱は、上述のようにアルミダイキャスト部２０を介して内鍋底部３１に効率良く伝導して内鍋３を加熱するために十分に消費されるが、他方その他の熱が内ケース１２の底壁部１３側にも輻射される。したがって、そのままでは、誘導発熱体３６およびアルミダイキャスト部２０からの輻射熱で内ケース１２の底壁部１３が異常温度まで加熱されて、当該内ケース１２の底壁部１３の下部側に設置しているワークコイル４１をも異常に昇温させるし、内鍋３への加熱効率を低下させる。
【００７４】
そこで、内ケース１２の底壁部１３上における内鍋底部３１の上記誘導発熱体３６およびアルミダイキャスト部２０に対向する部位（エリア）には、例えば図１に示すように透磁性のある断熱プレート５を設置して、上記誘導発熱体３６からの輻射熱が内ケース１２の底壁部１３およびワークコイル４１側に作用するのを防止するとともに内鍋３側への熱の回収を図るようにしている。
【００７５】
この断熱プレート５には、熱伝導率が低くて熱反射率の高い材料、加工のもの、例えば表面を鏡面状に光沢加工したセラミックプレート等が選ばれており、誘導発熱体３６からの輻射熱はもちろん、底部３１の下面全体に広がるアルミダイキャスト部２０からの輻射熱をも効率良く反射してアルミダイキャスト部２０側に吸熱させるようになっている。
【００７６】
したがって、これによって内鍋３の加熱効率が向上し、誘導発熱体３６の発熱量を無駄にしなくて済む。
【００７７】
内ケース１２は、皿型の形状をなす耐熱性のある合成樹脂製の底壁部１３と、該底壁部１３の外周部１３ｂから上方に筒状に延びた金属製の側壁部１４と、該側壁部１４の上部枠外周に嵌合された合成樹脂製の肩部材１５とを、それぞれ図１のように一体に組付けて全体として有底筒状体に形成されている。
【００７８】
内ケース１２の皿型の底壁部１３は、上記内鍋３の底部３１と湾曲部３２の各外側を囲繞し得る所望の深さの深皿状に成形されている。すなわち、この内ケース底壁部１３は、内鍋３の底部３１に対向する内鍋底部対向部１３ａと内鍋３の湾曲部３２に対向する内鍋湾曲部対向部１３ｂとを有して構成されており、その中央部には、内鍋３の底部３１の下面に当接して内鍋３の温度を検出するためのサーミスタよりなる後述する温度センサ（いわゆるセンターセンサ）１０を遊嵌する開口が設けられている。
【００７９】
温度センサ１０は筒状のセンサーホルダーに弾性的に支持された状態で、上記内ケース１２の底壁部１３の下部側から同開口内を上方に突出する形で同底壁部１３に取付けられており、その上端側センサー面を上記内鍋３の底部３１の誘導発熱体３６のない中央部のアルミダイキャスト面に密に当接されるようになっている。
【００８０】
したがって、上記誘導発熱体３６の発熱による高熱の影響を受けることなく、内鍋３の底部の温度を広い範囲で（広い面で）伝熱性良く正確に検出することができる。したがって、伝熱性が低いために本来温度変化の応答性が低く、正確な温度検知が難しいセラミック製の内鍋３の温度検知性能が大きく向上する。
【００８１】
その結果、炊飯制御時の出力制御の応答性が向上し、制御精度がこうして、炊飯性能も向上する。
【００８２】
そして、内鍋３を内ケース１２内に収容して、その高台部３５を上記内ケース底壁部１３上に着座させると、内鍋３の下面と内ケース底壁部１３の上面との間に適宜小間隔の隙間ができる状態で内鍋３がセットされ、同セット状態で図示のように温度センサ１０が内鍋３の底部３１の２０の中央部に弾圧状態で高密度に当接する。上記内鍋３の高台部３５は、内ケース底壁部１３の内鍋底部対向部１３ａの外周部の上面の周方向複数箇所にスポット状に設けた鍋受部材（例えば耐熱ゴム）１３ｃ，１３ｃ・・上に載置されるようになっている。
【００８３】
内ケース底壁部１３の下面側には、内鍋３側上記アルミダイキャスト部２０上の上記誘導発熱体３６を電磁誘導加熱するための上記ワークコイル４１が設置されている。このワークコイル４１は、上記内ケース底壁部１３の下面とその下方位置にあるコイルカバー４３との間に設置されている。
【００８４】
また、符号１６は、上記内鍋３の側部３３に対応して設けられた筒状の内ケース側壁部１４の外周面に上部から下部まで複数個巻成して取付けた保温ヒータ、２６は蓋本体２１に設けた蓋ヒータである。保温ヒータ１６及び蓋ヒータ２６は、炊飯時にもワークコイル４１で発熱する誘導発熱体３６とともに内鍋３（その側部３３）を加熱することができるようになっている。
【００８５】
また、上記の構成では、焼き物特有の高台部３５部分までアルミ材で覆い、高台部３５を残すようにしている。したがって、それにより同部分における面の変形や割れを防止することができるとともに、発熱体の保護、表面塗装の保護等を図ることができる。
【００８６】
例えば、従来の場合、上記内鍋３の高台部３５の偏肉部で割れが発生していたが、図示のように高台部３５を含む底部３１全体をアルミダイキャスト部２０で覆うことにより、高台部３５の熱分布が均一になり、高台部３５部分の温度差（温度の相違）による割れを防ぐことが可能となる。
【００８７】
さらに、以上の構成において、上記内鍋３とアルミダイキャスト部２０との結合度を大きくするために、内鍋３の外周面に凸凹部（アンカー部）を設け、対向するアルミ材側を凹凸部にする方法も採用される。また、それ以外に内鍋３の外周面を素焼き肌で残す、マット釉薬を施す、サンドブラストする等の方法によって相互間の結合度を増大させるようにしてもよい。
【００８８】
以上のように、セラミック製の内鍋３の底部３１外周にアルミ材層をダイキャストして所定の厚さのアルミダイキャスト部２０を形成し、その上に温度センサ１０の当接面を避けて誘導発熱体３６を設けるようにすると、誘導発熱体３６からのジュール熱が内鍋３の外周面と極めて密に接触する状態でダイキャストされている伝熱性の高いアルミ材層部分を介して内鍋３の底部３１からその周辺領域に速く、かつ均一に拡散されるようになる。
【００８９】
その結果、従来のような誘導発熱体３６に対応する部分のみの局部的な加熱による焦げ付きや加熱応答性の低さによる炊飯性能の悪さが解決される。
【００９０】
したがって、従来のように徐々に時間をかけて出力をアップするような加熱方法に変えて、最初からフルパワーでの加熱が可能となり、ご飯の味が大きく向上するとともに炊飯時間も短縮される。もちろん、加熱出力の応答性が良くなることから、お焦げ制御なども可能となる。
【００９１】
また必要な蓄熱性を保持し得る範囲で可能な限り内鍋の厚さを薄く、軽量化することも可能となり、そのように薄くしたとしても同部分はアルミ材層によって十分に補強されるので、割れやすいということもなくなる。
【００９２】
また銀ペースト等誘導発熱体３６の貼り付け時に入ったヒビや、キズ、厚みのバラツキなどによる局部加熱を回避することができる。
【００９３】
また、上述のような誘導発熱体３６の設置面を避けてアルミダイキャスト面に対応させる温度センサ１０の設置方法を採用すると、アルミ材の熱伝導の高さにより、内鍋３の底部３１全体の温度がすばやく、かつ温度差無く温度センサに伝わるようになるので、正確に、かつ略リアルタイムでの出力制御が可能となる。その結果、当該内鍋３の蓄熱性の良さを生かした、より高性能の炊飯性能を実現することができる。
【００９４】
また内鍋３のアルミダイキャスト部２０を設けた発熱部面は熱を内部に伝えるために肉厚を薄くしているので、その蓄熱性が他に比べて低くなるが、同部分にアルミダイキャスト部２０を一体していることで、同部分の蓄熱量を十分にサポートすることができ、内鍋３全体の蓄熱量の均一化が図られる。
【００９５】
したがって、内鍋３の加熱性能を、その伝熱特性の面でもより金属製の内鍋に近いものとすることができる。
【００９６】
さらに、以上の場合、アルミダイキャスト部２０は、内鍋３の底部３１の下面だけであるから、アルミダイキャスト部２０は外部から見えず、全体として全く土鍋としての風合、品質感を維持させることができる。
【００９７】
＜最良の実施の形態２＞
次に図３は、本願発明の最良の実施の形態２に係る電気炊飯器の構成を示している。
【００９８】
この実施の形態の電気炊飯器は、例えば図３に示されるように、上述の実施の形態１の構成の電気炊飯器において、上記アルミダイキャスト部２０を上記内鍋３の高台部３５部分を超えて湾曲部３２の上端側内鍋側部３３との境界部分３２ａまで同じ厚さで延設し、同延設した湾曲部３２部分のアルミダイキャスト部２０ｂの外周面側に第２の誘導発熱体３７を設けるとともに、同第２の誘導発熱体３７に対応する内ケース外周面側に第２のワークコイル４２を設けて電磁誘導加熱するようにしたことを特徴とするものである。
【００９９】
その他の部分の構成および作用は、全て上記実施の形態１のものと全く同様である。
【０１００】
このような構成によると、上述の実施の形態１の場合に比べてアルミダイキャスト部２０が内鍋３の底部３１の下面だけでなく、湾曲部３２の下面側（外周面側）にも位置することになり、しかも同湾曲部３２部分も第２のワークコイル４２と第２の誘導発熱体３７によって加熱されることになるので、厚さが薄く、熱が通りやすくなっている内鍋３の底部３１および湾曲部３２の全体が広面積で均一かつ有効に加熱されて、内鍋３の下部側から側部３３の下端側まで、より効率良く熱が均一に拡散するようになる。
【０１０１】
この結果、上記実施の形態１のものに比べて、炊飯効率、保温性能が大きく改善される。
【０１０２】
また、以上の場合、上記内鍋３の土鍋部分熱の伝導性が悪く、触れてもやけどをする恐れが低いので、内側のご飯との接触面や人が触れる部分は、土鍋材そのままを使い、土鍋の風合いを最大限残しながら、しかも加熱性能の高さが要求される内鍋３の下部部分のみにアルミダイキャスト部２０（２０ａ，２０ｂ）を設けるようにしている。
【０１０３】
したがって、全体として土鍋の品質感、メリットを保ちながら、その欠点を確実に改善することができる。
【０１０４】
さらに、以上の場合、内鍋３外周面のアルミダイキャスト部２０（２０ａ，２０ｂ）設置部以外の部分は釉薬仕上げとする一方、アルミダイキャスト部２０（２０ａ，２０ｂ）の外周面部分は例えば耐熱塗装仕上げとする。
【０１０５】
このような構成によると、セラミック製の内鍋特有の美しさ、品質感の実現と高温になりやすい部分の耐熱性の実現との両機能を両立させることができる。
【０１０６】
一方、それとは異なり内鍋３外周面のアルミダイキャスト部２０（２０ａ，２０ｂ）を含む外周面全体（内周面は釉薬仕上げ）を同一色の耐熱塗装仕上げとしてもよい。
【０１０７】
そのような構成によると、内鍋３の全体に亘って一体感、均質感を出すことができる。したがって、アルミダイキャスト部２０（２０ａ，２０ｂ）を設けたことが殆ど分らなくなり、内鍋３としての品質感が良好になる。
【０１０８】
＜最良の実施の形態３＞
次に図４は、本願発明の最良の実施の形態３に係る電気炊飯器の構成を示している。
【０１０９】
この実施の形態の電気炊飯器は、例えば図４に示されるように、上述の実施の形態２の構成の電気炊飯器において、さらに上記湾曲部３２部分の内鍋３とアルミダイキャスト部２０ｂ相互の間の機械的な結合力を高めるために、内鍋３（３２）側に凸部３２ｂ，３２ｂ・・を形成する一方、アルミダイキャスト部２０（２０ｂ）側に同凸部３２ｂ，３２ｂ・・を噛み込む凹部２１，２１・・を形成し、アルミダイキャスト部２０と剥離しにくくしたことを特徴とするものである。
【０１１０】
その他の部分の構成および作用は、全て上記実施の形態２のものと全く同様であり、同様の作用を奏する。
【０１１１】
このような構成によると、上述の実施の形態２の場合に比べてアルミダイキャスト部２０（２０ａ，２０ｂ）の内鍋３に対する一体化度、結合強度が向上し剥離しにくくなる（特に熱膨張係数の大きいアルミ材の熱膨張に対する機械的な係止力が大きくなる）とともに、アルミダイキャスト部２０（２０ａ，２０ｂ）と内鍋３との良好な密着状態の維持が可能となり、しかも相互の接合面積が拡大されるので、アルミダイキャスト部２０（２０ａ，２０ｂ）側から内鍋３側への熱の伝達効率も大きく向上する。
【０１１２】
なお、以上の構成において、内鍋３の底部３１側と同底部３１の下面にキャスティングされるアルミダイキャスト部２０（２０ａ）との間にも上記同様の凹凸係合部を形成して、同様の作用が実現されるようにしても良いことは言うまでもない。
【０１１３】
＜最良の実施の形態４＞
次に図５および図６は、本願発明の最良の実施の形態４に係る電気炊飯器の構成を示している。
【０１１４】
この実施の形態の電気炊飯器は、例えば図５および図６に示されるように、上述の実施の形態３の構成の電気炊飯器において、さらに湾曲部３２側のアルミダイキャスト部２０ｂ（２０）の上端側を側部３３の下部側まで長く延設し、同アルミダイキャスト部２０ｂ（２０）をヒータ１６の下部側にも所定幅対応させるように構成したことを特徴とするものである。
【０１１５】
その他の部分の構成および作用は、全て上記実施の形態３のものと同様であり、同様の作用を奏する。
【０１１６】
このような構成によると、上述の実施の形態３のものと同様の作用および効果が得られることはもちろん、アルミダイキャスト部２０ｂ（２０）が内鍋３の側部３３側まで延設され、ヒータ１６にも対応せしめられることから、ヒータ１６からの熱もアルミダイキャスト部２０ｂから２０ａ側に伝達されるようになり、保温時の熱の拡散性も向上する。
【０１１７】
＜最良の実施の形態５＞
次に図７は、本願発明の最良の実施の形態５に係る電気炊飯器の構成を示している。
【０１１８】
この実施の形態の電気炊飯器は、例えば図７に示されるように、上述の実施の形態２の構成の電気炊飯器において、さらにアルミダイキャスト部２０（２０ａ，２０ｂ）を内鍋３の側部３３の中間位置まで長く延設し、同延設部２０ｃ部分の外周面側の略全体に亘って第３の誘導発熱体３８を設ける一方、同内鍋側部３３部分の加熱を、上述した実施の形態１〜３のようなコードヒータ１６ではなく、第３のワークコイル４３による誘導加熱方式としたことを特徴とするものである。
【０１１９】
その他の部分の構成および作用は、全て上記実施の形態２のものと同様であり、同様の作用を奏する。
【０１２０】
このような構成によると、上述の実施の形態３の場合よりも、より一層広く熱が拡散されるようになるとともに、内鍋３の側部３３も湾曲部３２と同様に強い火力で効率良く加熱されるようになる。
【０１２１】
すなわち、このように内鍋３の側部３３面間で２０を延設し、誘導発熱体３６、ワークコイル４３を設けた場合、側面Ｈ加熱が可能となり、実施の形態１のコートヒーター１６による側面加熱の加熱量不足を解消することができ、より一層高性能のかまど炊き加熱が実現できる。
【０１２２】
その結果、大量炊飯時にも高効率の良好な炊飯性能を実現することができる。
【０１２３】
＜最良の実施の形態６＞
次に図８は、本願発明の最良の実施の形態６に係る電気炊飯器の構成を示している。
【０１２４】
この実施の形態の電気炊飯器は、例えば図８に示されるように、上述の実施の形態５の構成の電気炊飯器において、さらに上述の実施の形態３のものと同様に、内鍋３の側部３３側と同側部３３の側面にキャスティングされるアルミダイキャスト部２０（２０ｃ）との間にアンカー機能を果たす凹凸係合部を形成して、相互の機械的な結合力の強化を図ったことを特徴とするものであり、その他の部分の構成および作用は、全て上記実施の形態５のものと同様であり、同様の作用を奏する。
【０１２５】
＜最良の実施の形態７＞
次に図９は、本願発明の最良の実施の形態７に係る電気炊飯器の構成を示している。
【０１２６】
この実施の形態の電気炊飯器は、例えば図９に示されるように、上述の実施の形態５の構成における内鍋３の底部３１から湾曲部３２、側部３３の中間部までの全体に亘って連続するアルミダイキャスト部２０（２０ａ〜２０ｃ）を、底部３１に対応するもの２０ａ、湾曲部３２に対応するもの２０ｂ、側部３３に対応するもの２０ｃと相互に所定の間隔を空ける形で分断して設けることにより、アルミ材の量を低減するとともにキャスティング加工を容易にしたことを特徴とするものである。
【０１２７】
このような構成によれば、キャスティング作業自体は個別に行えば良いので、アルミの収縮率は同じでも収縮寸法は分割されるため小さくなり、土鍋に与えるストレスが緩和され、生産が容易になる。
【０１２８】
そして、この場合にも、内鍋３の一層部分と内鍋３とアルミダイキャスト部２０（２０ａ〜２０ｃ）の二層部分との厚みが同じになるようにしており、その結果、外観上段差なく仕上げることができている。
【０１２９】
また、内鍋３を均一に包み込むため、給熱源側アルミダイキャスト部２０（２０ａ〜２０ｃ）の肉厚を均一にし、かつ熱を受け取る内鍋３側も均一な肉厚としている。
【０１３０】
その他の部分の構成および作用は、全て上記実施の形態５のものと同様であり、同様の作用を奏する。
【０１３１】
なお、符号３３ａ，３２ａは内鍋３の側部３３の下部および湾曲部３２の厚さを部分的に薄く形成して、アルミダイキャスト部２０ｃ，２０ｂの鋳込み溝を形成した時の当該溝の上下各溝壁面を示している。この溝壁面３３ａ，３３ａ、３２ａ，３２ａは直角な段部形状の採用も可能であるが、鋳込作業の容易さや縦壁方向への熱の伝わりやすさ、接触面積の広さなどを考えると、図示のようなテーパ面形状が最適である。
【０１３２】
＜最良の実施の形態８＞
次に図１０は、本願発明の最良の実施の形態８に係る電気炊飯器の構成を示している。
【０１３３】
この実施の形態の電気炊飯器は、例えば図１０に示されるように、上述の実施の形態５の構成の電気炊飯器における内鍋側部３３側のアルミダイキャスト部２０（２０ｃ）を、さらに内鍋３の開口縁部（把手部）３４の外周端まで延設する形でキャスティングすることにより、内鍋３の全周面にアルミダイキャスト部２０（２０ａ〜２０ｄ）を形成し、その外周に耐熱塗装を施したことを特徴とするものである。
【０１３４】
その他の部分の構成および作用は、全て上記実施の形態５の側面ＩＨタイプのものと同様であり、同様の作用を果たす。
【０１３５】
このような構成によると、延設されたアルミダイキャスト部２０ｃ，２０ａを介して上述の実施の形態５の場合に比べて内鍋３の開口縁部３４部分まで第３の誘導発熱体３８からの熱が伝わるようになり、内鍋３の全体が極めて効率良く加熱される。
【０１３６】
したがって、炊飯時の加熱ムラや保温時の内鍋の表面温度のバラツキに起因するご飯の白ボケなども生じにくくなる。
【０１３７】
また、同構成において、図示のように肩ヒータ１７を設けた場合、より内鍋開口縁部３４の加熱性能が向上するので、より有効に、ご飯の白ボケ等が生じにくくなる。
【０１３８】
さらに、同構成の場合、アルミダイキャスト部２０と内鍋３との一体性も格段に向上し、端部同士の結合度も高くなる。
【０１３９】
なお、以上のように全周面にアルミダイキャスト部２０ａ〜２０ｄを形成した場合であっても、もちろん本願内鍋３の主体はセラミック製の鍋（土鍋）であり、その重量および体積比共に内鍋３側の方がアルミダイキャスト部２０ａ〜２０ｄよりも大きく形成されている。
【図面の簡単な説明】
【０１４０】
【図１】本願発明の最良の実施の形態１に係る電気炊飯器の炊飯器本体の構成を示す前後方向中央部での切断断面図である。
【図２】同電気炊飯器の内鍋の構成を示す断面図である。
【図３】本願発明の最良の実施の形態２に係る電気炊飯器の内鍋の構成を示す断面図である。
【図４】本願発明の最良の実施の形態３に係る電気炊飯器の内鍋の構成を示す断面図である。
【図５】本願発明の最良の実施の形態４に係る電気炊飯器の炊飯器本体の構成を示す前後方向中央部での切断断面図である。
【図６】同電気炊飯器の内鍋の構成を示す断面図である。
【図７】本願発明の最良の実施の形態５に係る電気炊飯器の内鍋の構成を示す断面図である。
【図８】本願発明の最良の実施の形態６に係る電気炊飯器の内鍋の構成を示す断面図である。
【図９】本願発明の最良の実施の形態７に係る電気炊飯器の内鍋の構成を示す断面図である。
【図１０】本願発明の最良の実施の形態８に係る電気炊飯器の内鍋の構成を示す断面図である。
【符号の説明】
【０１４１】
３は内鍋、２０，２０ａ〜２０ｄはアルミダイキャスト部、３１は内鍋の底部、３２は内鍋の湾曲部、３３は内鍋の側部、３４は内鍋の開口縁部、３６〜３８は誘導発熱体、４１〜４３はワークコイルである。
【図１】
2009045194.tif 000003
【図２】
2009045194.tif 000004
【図３】
2009045194.tif 000005
【図４】
2009045194.tif 000006
【図５】
2009045194.tif 000007
【図６】
2009045194.tif 000008
【図７】
2009045194.tif 000009
【図８】
2009045194.tif 000010
【図９】
2009045194.tif 000011
【図１０】
2009045194.tif 000012